(57)【要約】【課題】部品点数及び可動部が少なく、故障し難いとともに、格納スペースを小さくできる物品保持装置を提供する。【解決手段】左，右側板５，５と、前板６と、コンソールボックス１の一部からなる底部３ａ′とを有し、前記左，右側板５，５の一端部５ｂは取付凹部２ｅ回動自在に連結され、該左，右側板５，５の他端部５ｃは前記前板６の左，右端部に回動自在に連結され、前記左，右側板５，５及び前板６は、前記取付凹部２ｅの表面に沿って重なるように折り畳み可能となっている。【選択図】図３
2014088111.tif 000002
【特許請求の範囲】
【請求項１】
被取付部に、格納状態と使用状態とに切替え可能に取り付けられ、使用状態で物品を保持する物品保持装置において、
少なくとも左，右側部を構成する左，右側部材と、前部を構成する前部材と、前記被取付け部の一部からなる底部とを有し、
前記左，右側部材の一端は前記被取付部に回動自在に連結され、該左，右側部材の他端は前記前部材の左，右端部に回動自在に連結され、
前記左，右側部材及び前部材は、前記被取付部の表面に沿って重なるように折り畳み可能となっている
ことを特徴とする物品保持装置。
【請求項２】
請求項２の発明は、請求項１に記載の物品保持装置において、
前記左，右側部材の一端は、前記被取付部に、該左，右側部材の間隔の拡縮方向にスライド可能に連結されていることを特徴とする物品保持装置。
【請求項３】
請求項１又は２に記載の物品保持装置において、
前記左，右側部材の他端は、前記前部材に、該左，右側部材の間隔の拡縮方向にスライド可能に連結されていることを特徴とする物品保持装置。
【発明の詳細な説明】
【技術分野】
【０００１】
本発明は、例えば、自動車のコンソールボックスやインストルメントパネル等の被取付部に、格納状態と使用状態とに変化可能に取り付けられ、飲料缶や携帯電話等の物品を保持する物品保持装置に関する。
【背景技術】
【０００２】
自動車のコンソールボックスに取り付けられた物品保持装置として、従来例えば特許文献１に開示された飲料容器保持装置がある。この保持装置は、コンソールボックスの内側に固定されたガイドによりスライダを摺動自在に支持し、該スライダに一対の第１アームを回動自在に枢着し、該第１アームに一対の第２アームを回動自在に枢着し、該第２アームの先端同士をアーム連結手段で連結している。
【先行技術文献】
【特許文献】
【０００３】
【特許文献１】特開平１０−２５０４４５号公報
【発明の概要】
【発明が解決しようとする課題】
【０００４】
前記従来の飲料容器保持装置は、第１，第２アーム及び連結手段を回動可能に連結しているため、部品点数が多く構造が複雑であり、コスト高になる問題があり、また可動部分が多いので故障し易いという問題がある。
【０００５】
また第１，第２アームが前後方向に延びた状態でインパネ内に格納するように構成されており、大きな格納スペースが必要となる問題もある。
【０００６】
本発明は、前記従来の状況に鑑みてなされたもので、部品点数及び可動部が少なく、故障し難いとともに、格納スペースを小さくできる物品保持装置を提供することを課題としている。
【課題を解決するための手段】
【０００７】
請求項１の発明は、被取付部に、格納状態と使用状態とに切替え可能に取り付けられ、使用状態で物品を保持する物品保持装置において、
少なくとも左，右側部を構成する左，右側部材と、前部を構成する前部材と、前記被取付け部の一部からなる底部とを有し、前記左，右側部材の一端は前記被取付部に回動自在に連結され、該左，右側部材の他端は前記前部材の左，右端部に回動自在に連結され、前記左，右側部材及び前部材は、前記被取付部の表面に沿って重なるように折り畳み可能となっていることを特徴としている。
【０００８】
請求項２の発明は、請求項１に記載の物品保持装置において、
前記左，右側部材の一端は、前記被取付部に、該左，右側部材の間隔の拡縮方向にスライド可能に連結されていることを特徴としている。
【０００９】
請求項３の発明は、請求項１又は２に記載の物品保持装置において、
前記左，右側部材の他端は、前記前部材に、該左，右側部材の間隔の拡縮方向にスライド可能に連結されていることを特徴としている。
【発明の効果】
【００１０】
請求項１の発明に係る物品保持装置によれば、被取付部に左，右側部材の一端を回動可能に連結し、該左，右側部材の他端を前部材の左，右端部に回動可能に連結したので、前記左，右側部材及び前部材を、前記被取付部の表面に沿って重なるように折り畳み可能となり、該左，右側部材及び前部材の格納状態をコンパクトにすることができ、格納スペースが小さくて済む。
【００１１】
また被取付部の一部を底部に利用したので、部品点数及び可動部が少なくて済み、故障が生じ難いとともに、重い物品でも保持可能である。
【００１２】
請求項２の発明によれば、左，右側部材の一端を前記被取付部にスライド可能に連結したので、また請求項３の発明では、左，右側部材の他端を、前記前部材にスライド可能に連結したので、左，右側部材及び前部材をより一層コンパクトに折り畳むことができる。
【００１３】
また左，右側部材のスライド位置を調整することにより物品収納容量を変化させることができ、物品のサイズに応じた収納容量にすることができる。
【図面の簡単な説明】
【００１４】
【図１】本発明の実施例１に係る物品保持装置の正面斜視図である。
【図２】前記物品保持装置の構成部品の分解斜視図である。
【図３】前記物品保持装置の作用を説明するための模式断面平面図（図１のIIIa-IIIa線断面図）である。
【図４】前記物品保持装置の模式断面側面図（図３のIV-IV線断面図）である。
【図５】前記物品保持装置の模式断面側面図（図3のV-V線断面図）である。
【図６】本発明の実施例２に係る物品保持装置の模式断面平面図である。
【図７】本発明の実施例３に係る物品保持装置の模式断面平面図である。
【発明を実施するための形態】
【００１５】
以下、本発明の実施の形態を添付図面に基づいて説明する。
【実施例１】
【００１６】
図１ないし図５は、本発明の実施例１による自動車における物品保持装置を説明するための図である。
【００１７】
図において、１は自動車の運転席と助手席との間に配設されたコンソールボックスであり、該コンソールボックス１は、メインボックス部２と、これに続いて車両後方に延びるトレイ部３とを備えている。前記メインボックス部２の出し入れ口２ａは収納凹部２ｂを有するリッド２ｃで開閉可能となっている。前記トレイ部３は底壁３ａの周縁に側壁３ｂを立設してなる盆形状をなしている。
【００１８】
そして前記メインボックス２の後方への凸状に少し湾曲する後壁部（被取付部）２ｄに本実施例１に係る物品保持装置４が配設されている。該物品保持装置４は、左，右側板（左，右側部材）５，５と、前板（前部材）６と、前記トレイ部３の底壁３ａの一部からなる底部３ａ′とを有し、以下の詳細構造を有する。
【００１９】
前記左，右側板５は、前記後壁部２ｄに沿うように少し湾曲しており、その上，下端面５ａ，５ａの一端部５ｂには回動ピン７ａが植設され、他端部５ｃには回動ピン７ｂが植設されている。
【００２０】
また前記前板６は、前記左，右側板５と同様に湾曲する本体部６ａと、該本体部６ａの上，下端に形成された支持板部６ｂ，６ｂとを有する。該支持板部６ｂには、左，右一対の車幅方向に延びる長孔からなるガイドスリット６ｃ，６ｃが形成されている。
【００２１】
そして前記コンソールボックス１の後壁部２ｄには、取付凹部２ｅが前記左，右側板５，前板６と同様の湾曲形状をなすように凹設されている。そして前記取付凹部２ｅの庇状の上縁２ｆ及び下縁２ｇには、左，右一対の車幅方向に延びる長溝からなるガイド溝２ｈ，２ｈが凹設されている。
【００２２】
前記左，右側板５，５の一端部５ｂの回動ピン７ａ，７ａは前記取付凹部２ｅのガイド溝２ｈ，２ｈに回動可能かつ該左，右側板５，５の間隔の拡縮方向（車幅方向）にスライド可能に挿入されている。また前記左，右側板５，５の他端部５ｃの回動ピン７ｂ，７ｂは前記前板６のガイドスリット６ｃ，６ｃに回動可能かつ前記拡縮方向にスライド可能に挿入されている。
【００２３】
なお、図示していないが、前記ガイド溝２ｈ又はガイドスリット６ｃとガイドピン７ａ，７ｂとの間に、複数の節度機構を設けることにより、左，右側板５，５の開角度を任意に選択可能としても良い。
【００２４】
本実施例１における物品保持装置４の動作について説明する。
【００２５】
物品保持装置４が格納状態にある場合は、図３（ａ）に示すように、左，右側板５，５の、一端部５ｂの回動ピン７ａは取付凹部２ｅのガイド溝２ｈの車幅方向外側端に位置しており、また他端部５ｃの回動ピン７ｂは前板６のガイドスリット６ｃの車幅方向内側端に位置している。これにより前記左，右側板５，５及び前板６は重なるように折り畳まれて前記取付凹部２ｅ内に略収容されている。
【００２６】
前記物品保持装置４を使用状態に切り替える場合は、前記前板６を手前側に引き出す。すると左，右側板５の、他端部５ｃの回動ピン７ｂが前記前板６のガイドスリット６ｃ内を車幅方向外側にスライドし（図３（ｂ）参照）、これと同時に一端部５ｂの回動ピン７ａが前記取付凹部２ｅのガイド溝２ｈ内を車幅方向内側にスライドする（図３（ｃ）参照）。これにより物品保持装置４は、使用状態となり、前記左，右側板５，５、前板６及び前記取付凹部２ｅで囲まれた保持スペースＡ内に飲料缶Ｂ等を挿入することで、該飲料缶Ｂ等は前記トレイ部３の底部３ａ′で支持され、倒れないように保持される。
【００２７】
本実施例に係る物品保持装置４によれば、コンソールボックス１の取付凹部２ｅのガイド溝２ｈ内に、左，右側板５，５の一端部５ｂの回動ピン７ａを回動可能にかつスライド可能に挿入し、また左，右側板５，５の他端部５ｃの回動ピン７ｂを前板６のガイドスリット６ｃ内に回動可能にかつスライド可能に挿入したので、前記左，右側板５，５及び前板６を、前記取付凹部２ｅの表面に沿って重なるように折り畳み可能となり、該左，右側板５，５及び前板６の格納状態をコンパクトにすることができ、格納スペースが小さくて済む。特に、前記回動ピン７ａ，７ｂをスライド可能としたことにより前記格納状態をコンパクトにできる。
【００２８】
また前記コンソールボックス１のトレイ部３の底壁３ａの一部を物品の荷重を支える底部３ａ′に利用したので、部品点数及び可動部が少なくて済み、故障が生じ難いとともに、重いものでも保持可能である。
【実施例２】
【００２９】
前記実施例１では、左，右側板５，５の一端部５ｂの回動ピン７ａ及び他端部５ｃの回動ピン７ｂの両方を回動可能かつスライド可能に構成したが、本実施例２では、図６（ａ），（ｂ）に示すように、左，右側板５，５の、他端部５ｃの回動ピン７ｂについては前板５の両端部に回動可能に連結し、一端部５ｂの回動ピン７ａのみを取付凹部２ｅのガイド溝２ｈに回動可能かつスライド可能に連結している。
【００３０】
このように構成した場合も、左，右側板５，５と前板６とを格納状態と使用状態とに切り替えることができ、実施例１の場合と略同様の作用効果が得られる。
【実施例３】
【００３１】
本実施例３では、図７（ａ），（ｂ）に示すように、前記実施例２とは逆に、左，右側板５，５の、一端部５ｂの回動ピン７ａについては前記取付凹部２ｅに回動可能に連結し、他端部５ｃの回動ピン７ｂのみを前板６のガイドスリット６ｃに回動可能かつスライド可能に連結している。
【００３２】
このように構成した場合も、左，右側板５，５と前板６とを格納状態と使用状態とに切り替えることができ、実施例１，実施例２の場合と略同様の作用効果が得られる。
【００３３】
なお、前記実施例１〜３では、左，右側板５，５の回動ピン７ａ，７ｂの両方又は何れか一方を回動可能かつスライド可能に連結した場合を説明したが、本発明は、回動ピン７ａ，７ｂの両方が回動可能で、かつスライドしない場合をも含む。
【００３４】
さらにまた、本発明は、前記左，右側部材、前部材がそれぞれ複数枚で構成されている場合も含む。これらの部材の枚数が増加するほど、保持可能の物品の種類を増加できる。
【符号の説明】
【００３５】
２ｄ  コンソールボックスの後壁（被取付部）
３ａ′  底部
４  物品保持装置
左，右側板（左，右側部材）
６  前板（前部材）
【図１】
2014088111.tif 000003
【図２】
2014088111.tif 000004
【図３】
2014088111.tif 000005
【図４】
2014088111.tif 000006
【図５】
2014088111.tif 000007
【図６】
2014088111.tif 000008
【図７】
2014088111.tif 000009